(57)【要約】【課題】デジタル放送受信機内のバッファをアンダーフローやオーバーフローを起こさずに、タイムスタンプ付のＭＰＥＧ２−ＴＳを保存した蓄積装置から通常ＡＶ再生や倍速の特殊ＡＶ再生が可能なデジタル放送受信機を提供することを目的とする。【解決手段】映像又は音声のトランスポートストリームを多重分離後のバッファの残量に応じて前記データ読み出し手段の読み出しの開始と停止を制御するバッファ残量監視手段を備え、通常ＡＶ再生時には切替手段で出力タイミングを制御し、出力タイミング制御手段によって放送波と同じ出力タイミングにしてＡＶ再生を行うこと、および倍速再生の特殊ＡＶ再生時には切替手段で出力タイミングを制御せず前記バッファ残量監視手段によってバッファ量を監視して前記データ読出し手段のデータ読出しの開始と停止を制御する。【選択図】  図１
2004336332.tif 000002
【特許請求の範囲】
【請求項１】
蓄積装置からタイムスタンプ付のトランスポートストリームを読み出すデータ読出し手段と、タイムスタンプ付のトランスポートストリームの出力タイミングをタイムスタンプから放送波と同じ出力タイミングに制御する出力タイミング制御手段と、タイムスタンプを除去するタイムスタンプ除去手段と、前記出力タイミング制御手段を行うか行わないかを切り替える切替手段と、映像又は音声のトランスポートストリームを多重分離後のバッファの残量に応じて前記データ読込し手段の読出しの開始と停止を制御するバッファ残量監視手段とを備え、通常ＡＶ再生時には切替手段で出力タイミングを制御し、出力タイミング制御手段によって放送波と同じ出力タイミングにしてＡＶ再生を行うこと、および倍速再生の特殊ＡＶ再生時には切替手段で出力タイミングを制御せず前記バッファ残量監視手段によってバッファ量を監視して前記データ読出し手段のデータ読出しの開始と停止を制御することにより倍速再生の特殊ＡＶ再生を行う事を特徴とするデジタル放送受信機。
【請求項２】
前記バッファ量監視手段は、ＡＶデコーダが使用するＲＡＭの残量を監視して前記データ読込し手段の読出しの開始と停止を制御する事を特徴とする請求項１記載のデジタル放送受信機。
【発明の詳細な説明】
【０００１】
【発明の属する技術分野】
本発明は、デジタル放送受信機に関し、特に蓄積装置を内蔵したデジタル放送受信機に関する。
【０００２】
【従来の技術】
デジタル放送システムは、送信側で、複数チャネルの映像、音声、サービス情報のコンテンツはＭＰＥＧ２−ＴＳ（非特許文献１参照。）という多重化ストリームに変換して、これを伝送波にのせてデータ伝送を行う。
【０００３】
ＭＰＥＧ２−ＴＳは、１８８バイトの固定長のパケット（以下「ＴＳパケット」という。）の連続したストリームで、図３に示すように１００のＴＳパケットは、１０１のＴＳヘッダと、１０２のアダプテーションフィールドと、１０３のペイロードから構成される。ＴＳヘッダ１０１には、１３ビットの１０４の’ＰＩＤ’と呼ばれる識別符号領域があり、ペイロード１０３のコンテンツ内容を判別でき、アダプテーションフィールド１０２には、ＰＣＲ（図示せず）と言われるデジタル放送システムの送信側と受信側の２７ＭＨｚ系のクロックを同期させる情報があり、受信側で高精度な同期再生が行われる。又ペイロード１０３には、符号化された映像又は音声やＥＰＧ等のサービスコンテンツがあり、有料放送の場合ＭＵＬＴＩ２の暗号化が掛けられている。
【０００４】
従来の蓄積装置を内蔵するデジタル放送受信機のシステムとしては、例えば、特許文献１に示されたものがある。以下、図４、図５を用いて、従来の蓄積装置を内蔵するデジタル放送受信機の動作について説明する。図４は従来のデジタル放送受信機の構成を示すブロック図である。図５は放送波のＭＰＥＧ２−ＴＳが蓄積装置に保存されるまでの過程と読み出されるまでの過程を示す図である。ここで前記デジタル放送受信機は、放送波のＭＰＥＧ２−ＴＳを受信し、ＡＶ再生を行う、又はＭＰＥＧ２−ＴＳを蓄積装置に保存を行う、又は蓄積装置に保存されたＭＰＥＧ２−ＴＳを読み出し通常ＡＶ再生を行う、又は蓄積装置に保存されたＭＰＥＧ２−ＴＳを読み出し倍速再生の特殊ＡＶ再生を行う装置である。尚、倍速再生とは、１倍速の通常再生よりも速く再生することをいい、具体的には１．５倍速再生や２倍速再生のことをいう。
【０００５】
図４で、デジタル放送受信機は、デジタル放送受信機の動作を制御するＣＰＵ２０１と、放送波を受信するアンテナ２０２と、アンテナ２０２より受信した放送波を復調しＭＰＥＧ２−ＴＳを取り出すデジタルチューナ部２０３と、デジタルチューナ部２０３より取出されたＭＰＥＧ２−ＴＳの暗号部分を解読するデスクランブル部２０４と、デスクランブル部２０４又は、タイムスタンプ除去手段２１５よりＭＰＥＧ２−ＴＳを受信し、ＴＳパケットに含まれるＰＩＤを基に必要であるＴＳパケット（例えばユーザに選択された番組を構成する動画と音声）を多重分離するデマルチプレクサ部２０５と、デマルチプレクサ部２０５より出力される動画と音声のＴＳパケットを一時格納するＡＶバッファ２０６と、ＡＶバッファ２０６に格納された動画と音声のＴＳパケットを取出しＭＰＥＧ２デコード処理を行い、ビデオ信号とオーディオ信号を出力するＡＶデコード部２０７と、ＨＤＤ等のデジタルデータの書換え可能な蓄積装置２０９と、蓄積装置２０９へのデータの保存と読込みを制御する蓄積制御手段２０８を備える。
【０００６】
ここで、蓄積制御手段２０８はデスクランブル部２０４よりＭＰＥＧ２−ＴＳを受信し、ＴＳパケットに含まれるＰＩＤを基に必要であるＴＳパケット（例えばユーザに選択された番組を再生する上で必要なデータ）のみをフィルタリングし部分的に欠けたＭＰＥＧ２−ＴＳ（以下「パーシャルＴＳ」という。）を生成するパーシャルＴＳ生成手段２１０と、パーシャルＴＳ生成部２１０からパーシャルＴＳを受信し、各ＴＳパケットに受信時刻情報（以下「タイムスタンプ」という。）を、パケットの先頭若しくは最後に付加するタイムスタンプ付加手段２１１と、タイムスタンプ付加手段２１１で作成されたタイムスタンプ付ＴＳを受信し、蓄積装置２０９へ保存するデータ書込み手段２１２と、蓄積装置２０９からタイムスタンプ付ＴＳを読込むデータ読出し手段２１３と、データ読出し手段２１３からタイムスタンプ付ＴＳを受けて、タイムスタンプ情報を基に、出力タイミングを放送波と同じ出力タイミングに制御する出力タイミング制御手段２１４と、出力タイミング制御手段２１４からタイムスタンプ付ＴＳを受けてタイムスタンプを除去するタイムスタンプ除去手段２１５を備える。
【０００７】
以上の構成のデジタル放送受信機の（ａ）放送波のＭＰＥＧ２−ＴＳを受信してＡＶ再生する方法と、（ｂ）放送波のＭＰＥＧ２−ＴＳを蓄積装置に保存する方法と、（ｃ）蓄積装置に保存されたＭＰＥＧ２−ＴＳを読み出して通常ＡＶ再生を行う方法と、（ｄ）蓄積装置に保存されたＭＰＥＧ２−ＴＳを読み出して倍速再生の特殊ＡＶ再生を行う方法について説明する。
【０００８】
まず、（ａ）放送波のＭＰＥＧ２−ＴＳを受信してＡＶ再生する方法について説明する。
【０００９】
放送波はアンテナ２０２より受信されデジタルチューナ部２０３に送られる。デジタルチューナ部２０３は、アンテナ２０２より受信された放送波を復調しＭＰＥＧ２−ＴＳを取出しデスクランブル部２０４に送る。デスクランブル部２０４は、デジタルチューナ部２０３よりＭＰＥＧ２−ＴＳを受信し、ＭＰＥＧ２−ＴＳの暗号部分を解読し、デマルチプレクサ部２０５に送る。デマルチプレクサ部２０５は、デスクランブル部２０４よりＭＰＥＧ２−ＴＳを受信し、ＴＳパケットに含まれるＰＩＤを基に必要である映像と音声のＴＳパケット（例えばユーザに選択された番組を構成する動画と音声）を多重分離し、ＡＶバッファ部２０６に送る。ＡＶデコード部２０７は、ＡＶバッファ部２０６から動画と音声のＴＳパケットを取出しＭＰＥＧ２デコード処理を行い、ビデオ信号とオーディオ信号を出力する。
【００１０】
以上のようにして、放送波のＭＰＥＧ２−ＴＳを受信してＡＶ再生を可能にしている。ここで放送波のＭＰＥＧ２−ＴＳを受信しＡＶ再生を行う場合、デマルチプレクサ部２０５とＡＶデコード部２０７の間には、ＡＶバッファ２０６を配置し、一定のバッファ量を持てば、バッファのオーバーフローが生じないように送信側で送信タイミングを制御して送られてくる。一方、蓄積装置２０９からのデータの読み出しレートは、放送波の送信レートよりも速いために、従来の再生システムで再生させたのでは、ＡＶバッファ２０６で、オーバーフローが生じてしまう。そこで、蓄積装置からの再生では、データの蓄積時にタイムスタンプを付加して保存し、再生時には、このタイムスタンプ情報を基に、放送波と同じ出力タイミングに戻しデマルチプレクサ部２０５に入力してＡＶ再生を可能にしている。
【００１１】
次に、（ｂ）放送波のＭＰＥＧ２−ＴＳを蓄積装置に保存する方法について説明する。
【００１２】
放送波はアンテナ２０２より受信されデジタルチューナ部２０３に送られる。デジタルチューナ部２０３は、アンテナ２０２より受信された放送波を復調しＭＰＥＧ２−ＴＳを取出しデスクランブル部２０４に送る。デスクランブル部２０４は、デジタルチューナ部２０３よりＭＰＥＧ２−ＴＳを受信し、ＭＰＥＧ２−ＴＳの暗号部分を解読し、パーシャルＴＳ生成手段２１０に送る。パーシャルＴＳ生成手段２１０は、デスクランブル部２０４より暗号解読後のＭＰＥＧ２−ＴＳを受信し、ＴＳパケットに含まれるＰＩＤを基に必要であるＴＳパケット（例えばユーザに選択された番組を再生する上で必要なデータ）のみをフィルタリングしパーシャルＴＳを生成し、タイムスタンプ付加手段２１１に送る。タイムスタンプ付加手段２１１は、パーシャルＴＳ生成手段２１０よりパーシャルＴＳを取出し、各ＴＳパケットにタイムスタンプを付加してデータ書込み手段２１２に送る。データ書込み手段２１２は、タイムスタンプ付加手段２１１よりタイムスタンプ付のＴＳパケットを受信し蓄積装置２０９に保存する。
【００１３】
ここで、３０１は、デジタルチューナ部より取出されるＭＰＥＧ２−ＴＳの一例であり、ここでは、番組１のビデオデータＶ（１）と、オーディオデータＡ（１）と、番組２のビデオデータＶ（２）と、オーディオデータＡ（２）と、番組３のビデオデータＶ（３）と、オーディオデータＡ（３）が多重されている。
【００１４】
３０２は、３０１のＭＰＥＧ２−ＴＳをデスクランブル部２０４に入力して出力される暗号解読後のＭＰＥＧ２−ＴＳであり、３０３は、３０２の暗号解読後のＭＰＥＧ２−ＴＳをパーシャル生成手段２１０に入力して出力されるパーシャルＴＳで、３０４は、３０３のパーシャルＴＳをタイムスタンプ付加手段２１１に入力して出力されるタイムスタンプ付ＴＳで、３０５は、３０４のタイムスタンプ付ＴＳが蓄積装置２０９に蓄積される蓄積データである。
【００１５】
以上のようにして、放送波のＭＰＥＧ２−ＴＳを蓄積装置に保存を可能にしている。
【００１６】
次に、（ｃ）蓄積装置に保存されたＭＰＥＧ２−ＴＳを読み出して通常ＡＶ再生を行う方法について説明する。
【００１７】
データ読出し手段２１３は、蓄積装置２０９よりタイムスタンプ付ＴＳを読み出し、出力タイミング制御手段２１４に送る。出力タイミング制御手段２１４は、データ読出し手段２１３からタイムスタンプ付ＴＳを受けて、タイムスタンプ情報を基に、出力タイミングを放送波と同じ出力タイミングに制御し、タイムスタンプ除去手段２１５に送る。タイムスタンプ除去手段２１５は、出力タイミング制御手段２１４よりタイムスタンプ付ＴＳを受けてタイムスタンプを除去し、デマルチプレクサ部２０５に送る。
【００１８】
ここで、３０６は、３０５の蓄積データを出力タイミング制御手段２１１によって、放送波と同じ出力タイミングに制御されたＴＳストリームの一例で、３０７は、３０６のタイムスタンプ付ＴＳのタイムスタンプを除去したＴＳストリームで、タイムスタンプ付のＭＰＥＧ２−ＴＳを放送波と同じ出力タイミングで出力することを可能にしている。
【００１９】
そして、デマルチプレクサ部２０５が、タイムスタンプ除去手段２１５より放送波と同じ出力タイミングに制御されたＭＰＥＧ２−ＴＳを受信しＴＳパケットに含まれるＰＩＤを基に必要である映像と音声のＴＳパケット（例えばユーザに選択された番組を構成する動画と音声）を多重分離し、ＡＶバッファ部２０６に送る。ＡＶデコード部２０７は、ＡＶバッファ部２０６から動画と音声のＴＳパケットを取出しＭＰＥＧ２デコード処理を行い、ビデオ信号とオーディオ信号を出力する。以上のようにして、ＡＶバッファ部２０６がオーバーフローすること無く蓄積装置に保存されたＭＰＥＧ２−ＴＳのＡＶ再生を可能にしている。
【００２０】
次に、（ｄ）蓄積装置に保存されたＭＰＥＧ２−ＴＳを読み出して倍速再生等の特殊ＡＶ再生を行う方法について説明する。ここでは、仮に１．５倍速の倍速再生を例にとって説明する。出力タイミング制御手段２１４では１．５倍速の出力タイミングでＴＳ出力するように制御を行い、又ＡＶデコーダ部２０７でＭＰＥＧ２符号化処理でフレーム間予測に使用されないＢピクチャをスキップするなどの処理より１．５倍速再生で動作させて、以上で説明した蓄積装置に保存されたＭＰＥＧ２−ＴＳを読み出して通常ＡＶ再生を行う方法と同じ処理を行う事で、ＡＶバッファ部２０６がオーバーフローすること無く蓄積装置に保存されたＭＰＥＧ２−ＴＳの倍速再生の特殊ＡＶ再生を可能にしている。
【００２１】
【特許文献１】
特開２００２−３４０１８号公報
【非特許文献１】
ＩＴＵ−Ｔ勧告Ｈ２２２．０、ＩＳＯ／ＩＥＣ１３８１８−１
【００２２】
【発明が解決しようとする課題】
しかしながら、このような従来の構成では、蓄積装置に保存されたＭＰＥＧ２−ＴＳを読み出して通常ＡＶ再生を行う場合は、ＰＣＲによる同期再生が可能で、送信側と受信側の２７ＭＨｚ系のクロックを同期させて再生させるために、ＡＶバッファ部２０６のアンダーフローやオーバーフローは生じないが、蓄積装置に保存されたＭＰＥＧ２−ＴＳを読み出して倍速再生の特殊ＡＶ再生を行う場合は、ＰＣＲによる同期再生が不可能で、蓄積装置２０９から出力される出力タイミングと、ＡＶデコード部２０７の同期がずれてＡＶバッファ部２０６のアンダーフローやオーバーフローが生じやすい問題点を有していた。
【００２３】
本発明は上記従来の問題点を解決するもので、デジタル放送受信機内のバッファをアンダーフローやオーバーフローを起こさずに、タイムスタンプ付のＭＰＥＧ２−ＴＳを保存した蓄積装置から通常ＡＶ再生や倍速の特殊ＡＶ再生が可能なデジタル放送受信機を提供することを目的とする。
【００２４】
【課題を解決するための手段】
この目的を達成するために本発明のデジタル放送受信機は、蓄積装置からタイムスタンプ付のトランスポートストリームを読み出すデータ読出し手段と、タイムスタンプ付のトランスポートストリームの出力タイミングをタイムスタンプから放送波と同じ出力タイミングに制御する出力タイミング制御手段と、タイムスタンプを除去するタイムスタンプ除去手段と、前記出力タイミング制御手段を行うか行わないかを切り替える切替手段と、映像又は音声のトランスポートストリームを多重分離後のバッファの残量に応じて前記データ読込し手段の読出しの開始と停止を制御するバッファ残量監視手段とを備え、通常ＡＶ再生時には切替手段で出力タイミングを制御し、出力タイミング制御手段によって放送波と同じ出力タイミングにしてＡＶ再生を行うこと、および倍速再生の特殊ＡＶ再生時には切替手段で出力タイミングを制御せず前記バッファ残量監視手段によってバッファ量を監視して前記データ読出し手段のデータ読出しの開始と停止を制御することにより倍速再生の特殊ＡＶ再生を行う。
【００２５】
【発明の実施の形態】
以下、本発明の実施の形態について図面を用いて説明する。
【００２６】
（実施の形態１）
図１は、本発明の実施の形態１におけるデジタル放送受信機の構成を示すブロック図である。ここで前記デジタル放送受信機は、放送波のＭＰＥＧ２−ＴＳを受信しＡＶ再生を行う、又はＭＰＥＧ２−ＴＳを蓄積装置に保存を行う、又は蓄積装置に保存されたＭＰＥＧ２−ＴＳを読み出し通常ＡＶ再生を行う又は蓄積装置に保存されたＭＰＥＧ２−ＴＳを読み出し倍速再生の特殊ＡＶ再生を行う装置である。
【００２７】
図１で、デジタル放送受信機は、デジタル放送受信機の動作を制御するＣＰＵ４０１と、放送波を受信するアンテナ４０２と、アンテナ４０２より受信した放送波を復調しＭＰＥＧ２−ＴＳを取り出すデジタルチューナ部４０３と、デジタルチューナ部４０３より取出されたＭＰＥＧ２−ＴＳの暗号部分を解読するデスクランブル部４０４と、デスクランブル部４０４又は、タイムスタンプ除去手段４１５よりＭＰＥＧ２−ＴＳを受信し、ＴＳパケットに含まれるＰＩＤを基に必要である映像と音声のＴＳパケット（例えばユーザに選択された番組を構成する動画と音声）を多重分離するデマルチプレクサ部４０５と、デマルチプレクサ部４０５より出力される動画と音声のＴＳパケットを一時格納するＡＶバッファ４０６と、ＡＶバッファ４０６に格納された動画と音声のＴＳパケットを取出しＭＰＥＧ２デコード処理を行い、ビデオ信号とオーディオ信号を出力するＡＶデコード部４０７と、ＨＤＤ等のデジタルデータの書換え可能な蓄積装置４０９と、蓄積装置４０９へのデータの保存と読込みを制御する蓄積制御手段４０８を備える。
【００２８】
ここで、蓄積制御手段４０８は、デスクランブル部４０４よりＭＰＥＧ２−ＴＳを受信し、ＴＳパケットに含まれるＰＩＤを基に必要であるＴＳパケット（例えばユーザに選択された番組を再生する上で必要なデータ）のみをフィルタリングしパーシャルＴＳを生成するパーシャルＴＳ生成手段４１０と、パーシャルＴＳ生成部４１０からパーシャルＴＳを受信し、各ＴＳパケットにタイムスタンプを、パケットの先頭若しくは最後に付加するタイムスタンプ付加手段４１１と、タイムスタンプ付加手段４１１で作成されたタイムスタンプ付ＴＳを受信し、蓄積装置４０９へ保存するデータ書込み手段４１２と、蓄積装置４０９からタイムスタンプ付ＴＳを読込むデータ読出し手段４１３と、データ読み出し手段２１３から出力されるタイムスタンプ付ＴＳパケットの出力先を切り替える切替手段４１７と、切替手段４１７からタイムスタンプ付ＴＳを受けて、タイムスタンプ情報を基に、出力タイミングを放送波と同じ出力タイミングに制御する出力タイミング制御手段４１４と、出力タイミング制御手段４１４、又は切替手段４１７からタイムスタンプ付ＴＳを受けてタイムスタンプを除去するタイムスタンプ除去手段４１５と、ＡＶバッファ部４０６にある未処理のＴＳパケットの量を監視し、その量に応じてデータ読込み手段４１３の開始と停止を制御するバッファ監視手段４１６を備える。
【００２９】
以上の構成のデジタル放送受信機の、放送波のＭＰＥＧ２−ＴＳを受信してＡＶ再生する方法と、放送波のＭＰＥＧ２−ＴＳを蓄積装置に保存する方法と、蓄積装置に保存されたＭＰＥＧ２−ＴＳを読み出して通常ＡＶ再生を行う方法と、蓄積装置に保存されたＭＰＥＧ２−ＴＳを読み出して倍速再生の特殊ＡＶ再生を行う方法について説明する。
【００３０】
まず、放送波のＭＰＥＧ２−ＴＳを受信してＡＶ再生する方法と、放送波のＭＰＥＧ２−ＴＳを蓄積装置に保存する方法は、従来例で示した方法と同じなので省略する。
【００３１】
次に、蓄積装置に保存されたＭＰＥＧ２−ＴＳを読み出して通常ＡＶ再生を行う方法について説明する。
【００３２】
データ読出し手段４１３は、蓄積装置４０９よりタイムスタンプ付ＴＳを読み出し、切替手段４１７に送る。切替手段４１７は、データ読み出し手段４１３からタイムスタンプ付ＴＳを受けて出力タイミング制御手段４１４に送る。出力タイミング制御手段４１４は、切替手段４１７からタイムスタンプ付ＴＳを受けて、タイムスタンプ情報を基に、出力タイミングを放送波と同じ出力タイミングに制御し、タイムスタンプ除去手段４１５に送る。タイムスタンプ除去手段４１５は、出力タイミング制御手段４１４よりタイムスタンプ付ＴＳを受けてタイムスタンプを除去し、デマルチプレクサ部４０５に送る。ここで、３０６は、３０５の蓄積データを出力タイミング制御手段２１１によって、放送波と同じ出力タイミングに制御されたＴＳストリームの一例で、３０７は、３０６のタイムスタンプ付ＴＳのタイムスタンプを除去したＴＳストリームで、タイムスタンプ付のＭＰＥＧ２−ＴＳを放送波と同じ出力タイミングで出力することを可能にしている。そして、デマルチプレクサ部４０５が、タイムスタンプ除去手段４１５より放送波と同じレートに制御されたＭＰＥＧ２−ＴＳを受信しＴＳパケットに含まれるＰＩＤを基に必要である映像と音声のＴＳパケット（例えばユーザに選択された番組を構成する動画と音声）を多重分離し、ＡＶバッファ部４０６に送る。ＡＶデコード部４０７は、ＡＶバッファ部４０６から動画と音声のＴＳパケットを取出しＭＰＥＧ２デコード処理を行い、ビデオ信号とオーディオ信号を出力する。
【００３３】
以上のようにして、ＡＶバッファ部４０６がオーバーフローすること無く蓄積装置に保存されたＭＰＥＧ２−ＴＳの通常ＡＶ再生を可能にしている。
【００３４】
次に、図１、図２を用いて、蓄積装置に保存されたＭＰＥＧ２−ＴＳを読み出して倍速再生の特殊ＡＶ再生を行う方法について説明する。図２はＡＶバッファ部のＴＳデータの残量の推移と、データ読出し制御信号の関係図である。
【００３５】
データ読出し手段４１３は、蓄積装置４０９よりタイムスタンプ付ＴＳを読み出し、切替手段４１７に送る。切替手段４１７は、データ読み出し手段４１３からタイムスタンプ付ＴＳを受けてタイムスタンプ除去手段４１５に送る。タイムスタンプ除去手段４１５は、切替手段４１７よりタイムスタンプ付ＴＳを受けてタイムスタンプを除去し、デマルチプレクサ部４０５に送る。デマルチプレクサ部４０５は、タイムスタンプ除去手段４１５よりＭＰＥＧ２−ＴＳを受信し、ＴＳパケットに含まれるＰＩＤを基に必要である映像と音声のＴＳパケット（例えばユーザに選択された番組を構成する動画と音声）を多重分離し、ＡＶバッファ部４０６に送る。ＡＶデコード部４０７は、ＡＶバッファ部４０６から動画と音声のＴＳパケットを取出しＭＰＥＧ２デコード処理を行い、ビデオ信号とオーディオ信号を出力する。そして、バッファ残量監視手段４１６は、ＡＶバッファ部４０６がアンダーフローやオーバーフローを起こさないように、ＡＶバッファ部４０６にある未処理のＴＳパケットの量を監視してその量に応じデータ読込み手段４１３の開始と停止の制御を行う。
【００３６】
５０１は、ＡＶバッファ部４０６に溜まっている未処理のＴＳデータ量の推移の一例を示し、５０５は、データ読出し手段４１３の開始と停止を制御する読出し開始信号で、５０２は、ＡＶバッファ部４０６のバッファサイズで、５０３は、ＡＶバッファ上限閾値で、５０４は、ＡＶバッファ下限閾値である。特殊ＡＶ再生開始時には、バッファ量監視手段４１６は、読出し開始信号５０５をアサートにしてデータ読出し手段４１３でデータの読込みを開始する。次にバッファ残量監視手段４１６は、ＡＶバッファ部４０６の未処理のＴＳデータ量５０１がＡＶバッファ上限閾値５０３を越えるのを監視する。そして、未処理のＴＳデータ残量５０１が、ＡＶバッファ上限閾値５０３を越えた時に、バッファ残量監視手段４１６は、読出し開始信号５０５をネゲートにして、データ読出し手段４１３によるデータ読出しを停止する。次にバッファ残量監視手段４１６は、ＡＶバッファ部４０６の未処理のＴＳデータ量５０１がＡＶバッファ下限閾値５０４を越えるのを監視する。そして、未処理のＴＳデータ残量５０１が、ＡＶバッファ下限閾値５０４を下回った時に、バッファ残量監視手段４１６は、読出し開始信号５０５をアサートにして、データ読出し手段４１３によるデータ読出しを開始する。バッファ残量監視手段４１６が以上を繰り返すことによって、ＡＶバッファ部４０６がアンダーフローやオーバーフローを起こさずに蓄積装置に保存されたＭＰＥＧ２−ＴＳを読み出して倍速再生の特殊ＡＶ再生を可能にしている。
【００３７】
（実施の形態２）
実施の形態１ではバッファ残量監視手段４１６は、デマルチプレクサ部４０５から出力された映像と音声を一時格納するＡＶバッファ部４０６を監視するようにしていたが、実施の形態２ではバッファ残量監視手段４１６は、ＡＶデコード部４０７が使用するＲＡＭ（図示せず）の残量を監視し、そのＲＡＭがオーバーフローやアンダーフローを起こさずに、データ読出し制御手段４１３の開始と停止を制御を行う。
【００３８】
以後の動作については実施の形態１と同じなので省略する。
【００３９】
【発明の効果】
本発明によって、デジタル放送受信機内のバッファをアンダーフローやオーバーフローを起こさずに、タイムスタンプ付のＭＰＥＧ２−ＴＳを保存した蓄積装置から通常ＡＶ再生や倍速の特殊ＡＶ再生が可能になる。
【図面の簡単な説明】
【図１】本発明の実施の形態１におけるデジタル放送受信機の構成を示すブロック図
【図２】ＡＶバッファ部のＴＳデータの残量の推移と、データ読出し制御信号の関係図
【図３】トランスポートストリームパケットの構造を示す図
【図４】従来のデジタル放送受信機の構成を示すブロック図
【図５】放送波のＭＰＥＧ２−ＴＳが蓄積装置に保存されるまでの過程と読み出されるまでの過程を示す図
【符号の説明】
４０１  ＣＰＵ
４０２  アンテナ
４０３  デジタルチューナ
４０４  デスクランブル部
４０５  デマルチプレクサ部
４０６  ＡＶバッファ部
４０７  ＡＶデコード部
４０８  蓄積制御手段
４０９  蓄積装置
４１０  パーシャルＴＳ生成手段
４１１  タイムスタンプ付加手段
４１２  データ書込み手段
４１３  データ読出し手段
４１４  出力タイミング制御手段
４１５  タイムスタンプ除去手段
４１６  バッファ残量監視手段
４１７  切替手段
５０１  ＡＶバッファ部４０６に溜まっている未処理のＴＳデータ量の推移の一例
５０２  バッファサイズ
５０３  バッファ上限閾値
５０４  バッファ下限閾値
５０５  読出し開始信号
【図１】
2004336332.tif 000003
【図２】
2004336332.tif 000004
【図３】
2004336332.tif 000005
【図４】
2004336332.tif 000006
【図５】
2004336332.tif 000007